(57)【要約】【課題】  電気機器から発生する熱を拡散および／または電気機器から発生する音を防音することができる。【解決手段】  収納ユニット１を壁２９に設けられる凹部３１に固定する収納ユニット取付け構造であって、収納ユニット１は、大形薄型テレビ２７を取付け可能に形成したパネル３を背面側に備え、パネル３は大形薄型テレビ２７から発生する熱を拡散する熱拡散部５および大形薄型テレビ２７から発生する音を防音する防音部９を有し、凹部３１の後に位置する壁内に隙間ｄの空間３２を設け、さらにパネル３は、その表面側の水平方向に設けられ、大形薄型テレビ２７を繋止するレール１１ａを備え、収納ユニット１は、カウンター２２と一体的に設けられる。【選択図】              図２
2006028872.tif 000002
【特許請求の範囲】
【請求項１】
収納ユニットを壁に設けられる凹部に固定する収納ユニット取付け構造であって、前記収納ユニットは、電気機器を取付け可能に形成したパネルを背面側に備え、該パネルは少なくとも前記電気機器の背面に対応する箇所に該電気機器から発生する熱を拡散する熱拡散部および／または該電気機器から発生する音を防音する防音部を有し、前記凹部の後に位置する壁内に隙間を設けてなる収納ユニット取付け構造。
【請求項２】
請求項１において、前記パネルは、該パネルの表面側に設けられ、前記電気機器その他の物品を繋止するレールを備えてなる収納ユニット取付け構造。
【請求項３】
請求項１または２において、前記収納ユニットは、カウンターと一体的に設けられてなる収納ユニット取付け構造。
【発明の詳細な説明】
【技術分野】
【０００１】
本発明は、収納ユニットを壁に固定する収納ユニット取付け構造に係り、特に、薄型テレビを取付け可能な収納ユニットを壁に固定する収納ユニット取付け構造に関する。
【背景技術】
【０００２】
従来、薄型テレビなどの電気機器を取付け可能な収納ユニットを建物の壁に取付ける収納ユニット取付け構造としては、たとえば薄型テレビを設置することができる浴室用テレビケース装置の取付け構造が知られている。これは浴槽に入浴した姿勢で正面に位置する浴室の壁に設けられるテレビを見ることができるものである（特許文献１）。この浴室用テレビケース装置は、テレビケースが浴室壁の外側に突出するように壁内に埋設され、浴室外に連通する開口部が設けられている。
【０００３】
また、別の収納ユニット取付け構造として、建築躯体に設けた凹部の略中央に飾り棚を配置するとともに、この飾り棚の左右に収納部を設け、これら飾り棚と収納部の前面に引戸を設けた取付け構造が知られている（特許文献２）。
【特許文献１】特開２００１−３２７４２８号公報
【特許文献２】特許第３４４９２０３号公報
【発明の開示】
【発明が解決しようとする課題】
【０００４】
しかしながら、従来の収納ユニット取付け構造は、いずれも収納部の内部に収納した電気機器から発生する熱を積極的に拡散することはできなかった。さらに、電気機器がＴＶやラジオなど音を発生する機器の場合には、電気機器を収納した収納部の裏側の部屋（または室）に音が漏洩し、騒音となるおそれもあった。
【０００５】
本発明の課題は、電気機器から発生する熱を拡散および／または電気機器から発生する音を防音することができることである。
【課題を解決するための手段】
【０００６】
上記課題を解決するため、本発明は、収納ユニットを壁に設けられる凹部に固定する収納ユニット取付け構造であって、前記収納ユニットは、電気機器を取付け可能に形成したパネルを背面側に備え、該パネルは少なくとも前記電気機器の背面に対応する箇所に該電気機器から発生する熱を拡散する熱拡散部および／または該電気機器から発生する音を防音する防音部を有し、前記凹部の後に位置する壁内に隙間を設けてなることを特徴とする。
【０００７】
このようにすることにより、収納ユニットは壁に設けられる凹部に固定されるので、壁の表面から突出する収納ユニットの突出距離（寸法）が小さくなり、この分、部屋を広く使用できる。パネルは熱拡散部を有するので、薄型テレビなどの電気機器から発生する熱をパネルの熱拡散部で拡散させることができ、電気機器の背面側が局所的に過熱することがない。
【０００８】
さらに、パネルは音を防音する防音部を有するので、薄型テレビなどの電気機器から発生する音が壁の後側にある部屋に漏れることを防止する。さらに、凹部の後に位置する壁内の隙間は、電気機器に関係する配線を行うスペースとして利用でき、これらの配線が表面に直接現れないので意匠上良好である。
【０００９】
さらに、パネルは、その表面側に延在するレールを有すると良い。パネルがレールを有することにより、このレールに薄型テレビ、スピーカーなどの電気機器、絵画、装飾品あるいはキャビネットなどを繋止することができる。また、パネルの表面側におけるレールの延在する方向は、水平方向にすると良い。レールを水平方向に設けることにより薄型テレビなど重量物を確実に繋止しやすくなる。
【００１０】
また、収納ユニットはカウンターと一体的に設けると良い。収納ユニットをカウンターと一体的に設けることにより、カウンターの背面側は壁の凹部の奥行き寸法分だけ壁に埋め込まれるので、この分カウンターの奥行き寸法を大きくでき、ＶＴＲやＣＤデッキなどの奥行き寸法の比較的大きい電気機器をカウンターの上に載置することができ、また、カウンターの下の収納部に収納・装備することができる。
【００１１】
次に本発明を構成する各要件についてさらに詳しく説明する。本発明の収納ユニット取付け構造は、電気機器を取付け可能に形成したパネルを備える収納ユニットを、個別住宅、集合住宅あるいは商用建物の壁に取付ける構造に関するものである。
【００１２】
収納ユニットは、大形、中形または小形の薄型テレビまたは薄型のＶＴＲやＣＤデッキなどの電気機器を取付け可能に形成される。電気機器の固定方法としては略鉛直に位置させたパネルに固定する。収納ユニットは、そのパネルに電気機器を取付け可能に形成されるが、さらに、このパネルまたはパネルの上下、左右に収納部を設けても良い。収納部を設けることにより、この収納部に電気機器以外の物品を収納することができる。
【００１３】
電気機器以外の物品としては、各種家庭用品、置物、絵画、装飾物品、キャビネットなどである。収納部の前面開口部には扉または引戸を設けても良い。さらに、収納ユニットは、電気のコンセントを設けると良い。電気のコンセントを設けることにより、オーディオなどの他の電気機器を載置ないし収納し、使用することができる。
【００１４】
パネルは、これに取付ける電気機器の発生熱を拡散（または分散）させる平板状熱拡散部および／または音を防音する平板状防音部を有する。熱拡散部と防音部を別々のパネルとして、両パネルを重ね合わせても良い。また、熱拡散部と防音部を一体化して一つのパネルとして形成しても良い。薄型テレビなどの電気機器は、その背面を熱拡散部に密着させると良い。電機機器の背面を熱拡散部に密着させることにより、電気機器から熱拡散部への熱伝達が促進される。
【００１５】
パネルの熱拡散部の大きさは、電気機器の発生熱量によって決めると良い。多量の熱を放出する電気機器の場合は、凹部の後に位置する壁内に設けた隙間に電気機器から発生する熱を積極的に逃がしても良い。熱拡散部の材質は、熱伝導率の良い材料、たとえば、銅、アルミニウム、鉄などの金属とすると良い。熱拡散部として熱伝導率の良い材料を使用することにより電気機器から発生した熱を拡散させ、電気機器の背面側の局所的加熱を防止する。
【００１６】
防音部は、遮音機能または／および吸音機能を有する。防音部として、電気機器から発生する音を遮音する機能を持たせる場合は、高比重で振動のしにくい材料、たとえば鉄板などの金属やコンクリート、石材などの高密度無機質材料を使用すると良い。また、防音部として、電気機器から発生する音を吸音する機能を持たせる場合は、吸音性能の良好な材料である多孔質材料、膜振動材料などを使用すると良く、コルク、グラスウール、フェルト、吸音ボード、軟質繊維板、布などを利用できる。防音部として、遮音機能と吸音機能の両方を持たせる場合は、上記両性能を有する材料を重ね合わせた複合材を使用すると良い。
【００１７】
パネルに備えるレールは、このパネルの表面に開口する凹状のレールまたはパネルの表面に延在し突出する凸状のレールのどちらでも良い。このレールに電気機器などを直接またはフックを介して繋止する。レールは、パネルと一体的に設けても良いが、別体として形成し、パネルに取付けても良い。レールの材質としてはステンレス、アルミニウムなどの金属、硬質プラスチックなどを使用することができる。
【００１８】
壁に設けられる凹部は、収納ユニットを正面から見たときの略正面視の大きさとする。凹部の奥行き（深さ）は、壁の厚みから凹みの奥行き寸法および壁の裏側ボードの厚みを引いた残りの寸法（「隙間」に相当）が、電気機器の配線に必要な大きさとする。隙間の形成は、隙間の寸法に相当する厚みの取付桟を設けることにより行われる。
【００１９】
カウンターは、その下に棚などを設けて収納部を形成しても良い。収納部の前側正面には扉や引戸を設けても良い。カウンターの奥行きは、特に制限がないが、その上にＶＴＲやＣＤデッキなどを載置またはカウンターの下に設ける収納部にＶＴＲやＣＤデッキなどを収納できる大きさとすると良い。
【発明の効果】
【００２０】
本発明によれば、薄型テレビなどの電気機器から発生する熱を拡散および／または電気機器から発生する音を防音することができる。
【発明を実施するための最良の形態】
【００２１】
以下、本発明に係る収納ユニット取付け構造の実施例を図面に基づいて詳細に説明する。なお、図１〜３において、同一または同等部分には同一符号を付けて示す。
【実施例１】
【００２２】
図１は、本発明に係る収納ユニット取付け構造の実施例１を示す正面透視図である。図２は、図１におけるＡ−Ａ線断面図である。実施例１の収納ユニット取付け構造は、収納ユニット１を、個別住宅、集合住宅あるいは商用建物の壁２９に設けられる凹部３１（図２に表示）に固定する構造である。収納ユニット１は、背面側にパネル３を備え、パネル３は大形薄型テレビ（電気機器）２７を取付け可能に形成される。
【００２３】
さらに、パネル３は、中央収納部１３の背面全体に設けられ、大形薄型テレビ２７から発生する熱を拡散する熱拡散部５と、大形薄型テレビ２７から発生する音を防音する防音部９とを有する。大形薄型テレビ２７は、その背面がパネル３に略密着して固定される。熱拡散部５は、金属などの熱伝導率の良い材料、たとえば、銅、アルミニウム、その他の金属から形成される。
【００２４】
図１に示すように、収納ユニット１は、大形薄型テレビ２７を収納する中央収納部１３の上に設けられる上部収納部１４および中央収納部１３の両側に設けられる側収納部１５を有する。側収納部１５には棚１７が設けられる。また、上部収納部１４および側収納部１５の背面には背面板１８が設けられる。
【００２５】
さらに、中央収納部１３、上部収納部１４および側収納部１５の前面開口部には図示していない扉または引戸を設けても良い。さらに、先のパネル３の下隅には電気のコンセント２８が設けられる。電気のコンセント２８を設けることにより、下記カウンター２２の上に載置したオーディオなど他の電気機器の電源として使用することができる。
【００２６】
カウンター２２の前面開口部には、引戸２５ａ、２５ｂを設ける。引戸２５ａを開いたときに、引戸２５ａは引戸２５ｂの裏側に位置するように移動する。反対に、引戸２５ｂを開いたときには、引戸２５ｂは引戸２５ａの裏側に位置するように移動する。
【００２７】
図２に示すように、収納ユニット１は、壁２９に設けられる凹部３１に固定されるが、凹部３１の正面大きさは、収納ユニット１の略正面視の大きさとする。凹部１３の奥行き（深さ）Ｄは、壁の厚みＴ１から隙間ｄおよび壁の裏側ボード３０の厚みＴ２を引いた寸法である。隙間ｄは、電気機器の配線が可能な大きさとし、厚みｄを有する複数の取付桟３４を設けることにより形成される。
【００２８】
さらに、収納ユニット１は、カウンター２２と一体的に設けられる。カウンター２２の背面２３位置を壁の裏側ボード３０の内面に一致させて、カウンター２２の下に収納部２４を形成し、収納部２４の奥行きをＶＴＲやＣＤデッキなどを収納できる大きさとすると良い。なお、図１、２において、符号３５は幅木、符号３９は床板である。
【００２９】
防音部９は、熱拡散部５の後に略密着した状態で設けられる。防音部９として遮音機能を持たせる場合は、高比重の材料、たとえば鉄板やコンクリート、石材などの高密度無機質材料が使用される。また、防音部として吸音機能も持たせる場合は、上記遮音材料に加え、吸音性能の良好な多孔質材料、膜振動材料、たとえば、コルク、グラスウール、フェルト、吸音ボード、軟質繊維板、布などの材料を張り合わせ複合材として使用する。
【００３０】
以上の構造を有する実施例１の収納ユニット取付け構造は、次のように作用する。すなわち、図１、２に示すように、収納ユニット１は壁に設けられる凹部３１に取付けられるので、収納ユニット１の壁２９の表面から突き出る距離（または寸法）が小さくなり、この分、部屋を広く使用できる。パネル３は、熱拡散部５を有するので、大形薄型テレビ２７から発生する熱はこのパネルの熱拡散部５により拡散され、大形薄型テレビ２７の背面側が局所的に過熱することがない。
【００３１】
さらに、パネル３は、防音部９を有するので、大形薄型テレビ２７から発生する音が壁２９の後側にある部屋にほとんど漏れない。また、凹部３１の後に位置する壁内に隙間ｄを有する空間３２を設けるので、この空間３２を大形薄型テレビ２７への配線を行うスペースとして利用できる。大形薄型テレビ２７に関係する配線が収納ユニット１の表面に直接現れないので意匠上良好である。また、収納ユニットのパネル３の後に設けた空間３２（または隙間ｄ）は、大形薄型テレビ２７で発生した熱を逃がす通路としても利用できる。
【００３２】
収納ユニット１をカウンター２２と一体的に設けることにより、カウンター２２の背面側は壁の凹部３１の奥行き寸法分だけ壁２９に埋め込まれるので、この分、カウンター２２の奥行き寸法を大きくすることができ、ＶＴＲやＣＤデッキなどの奥行き寸法の比較的大きい電気機器をカウンター２２の上に載置またはカウンターの下の収納部２４に収納・装備することができる。
【実施例２】
【００３３】
図３は、本発明に係る収納ユニット取付け構造の実施例２を示す透視図である。実施例２の収納ユニット取付け構造において、パネル３は、大形薄型テレビ２７を繋止するレール１１ａを備える。レール１１ａは、パネル３の表面側の水平方向に開口する凹状断面またはパネル３の表面側の水平方向に延在する突起状断面とし、パネル３自体に形成しても良いし、別体として形成しパネル３に取付けても良い。
【００３４】
レール１１ａを別体として形成する場合、その形態は、たとえばステンレス板の折り曲げ加工により形成されたレールや、ステンレス、アルミニウムなどの金属の押出加工により形成された形材レールなどを利用すると良い。これらのレール１１ａに大形薄型テレビ２７を直接またはフックを介して繋止する。
【００３５】
実施例２の収納ユニット取付け構造において、収納ユニット１は、上記レール１１ａの他に、パネル３の上部にレール１１ｂを有する。レール１１ｂは、パネル３の上部両側に設けるキャビネット１９を固定するために利用される。また、収納ユニット１の下部には、下部収納部１６が設けられる。
【００３６】
実施例２の収納ユニット取付け構造は、パネル３がレール１１ａを有することにより、このレール１１ａに大形薄型テレビ２７を繋止することができ、かつ左右方向の位置調整が簡単にできる。なお、図４に示した実施例２の収納ユニット取付け構造において、その他の構造と作用は、図１〜３に示した実施例１の収納ユニット取付け構造と略同じであるので、その説明を省略する。
【００３７】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３８】
本発明の収納ユニット取付け構造は、個別住宅や集合住宅あるいはビル、店舗などの壁に固定する収納ユニットの取付けに利用可能である。
【図面の簡単な説明】
【００３９】
【図１】本発明に係る収納ユニット取付け構造の実施例１を示す正面透視図である。
【図２】図１におけるＡ−Ａ線断面図である。
【図３】本発明に係る収納ユニット取付け構造の実施例２を示す透視図である。
【符号の説明】
【００４０】
１  収納ユニット
３  パネル
５  熱拡散部
９  防音部
１１ａ、１１ｂ  レール
２２  カウンター
２７  大形薄型テレビ（電気機器）
２９  壁
３１  凹部
３２  空間
ｄ  隙間
【図１】
2006028872.tif 000003
【図２】
2006028872.tif 000004
【図３】
2006028872.tif 000005